【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
ネットワークを介した通信を行うための通信手段と、クライアント装置の電力状態を通常状態からスリープ状態に、または、スリープ状態から通常状態に移行させるための機能と、を有するクライアント装置であって、
前記機能により前記クライアント装置に対するユーザー操作を受け付けたことにより前記電力状態がスリープ状態から通常状態に移行した場合に、前記通信手段は、前記クライアント装置からの要求なしに管理サーバーからの指示を受信することが可能な第１の通信方式による前記管理サーバーとのセッションを確立するための接続要求を送信し、
前記機能により前記電力状態が通常状態からスリープ状態に移行した後、前記クライアント装置に対するユーザー操作なしに、所定の設定に従い通常状態に移行した場合、前記通信手段は、前記管理サーバーに対して、前記接続要求を送信することなく、前記クライアント装置に対する指示を受信するための要求を送信し、
前記機能により前記電力状態が通常状態からスリープ状態に移行する条件は複数あり、
前記クライアント装置に対するユーザー操作が一定時間、なかったことを１つの条件として前記電力状態が通常状態からスリープ状態に移行し、
前記所定の設定に従い通常状態に移行した場合には、前記一定時間に関わらず、前記要求に応じて受信できた指示に基づく処理に関するスリープ条件に従い、前記電力状態が通常状態からスリープ状態に移行することを特徴とするクライアント装置。
【請求項２】
前記スリープ条件に従う前記電力状態の移行は、前記所定の設定に従い通常状態に移行した場合に、前記要求に応じて受信できた前記指示に基づく処理が完了した後、前記一定時間、待機することなく、スリープ状態に移行することを特徴とする請求項１に記載のクライアント装置。
【請求項３】
前記管理サーバーは、前記クライアント装置からの状態変更を示す通知を受信することで、前記クライアント装置の電力状態を含む状態情報を管理することを特徴とする請求項１または２に記載のクライアント装置。
【請求項４】
前記管理サーバーから送信される前記クライアント装置に対する指示は、アプリケーションサーバーにより前記管理サーバーに登録されることを特徴とする請求項１乃至３の何れか１項に記載のクライアント装置。
【請求項５】
前記所定の設定は、前記電力状態がスリープ状態に移行した後に、所定時間の経過に応じて、前記電力状態を一時的に通常状態に移行させるための設定を含むことを特徴とする請求項１乃至４のいずれか１項に記載のクライアント装置。
【請求項６】
スケジュールにより前記電力状態が通常状態からスリープ状態に移行した場合、第１の所定時間の経過に応じて、前記電力状態を一時的に通常状態に移行させ、
前記クライアント装置に対するユーザー操作が一定時間、なかったことを条件として前記電力状態が通常状態からスリープ状態に移行した場合、第２の所定時間の経過に応じて、前記電力状態を一時的に通常状態に移行させ、
前記第１の所定時間は、前記第２の所定時間よりも長いことを特徴とする請求項５に記載のクライアント装置。
【請求項７】
前記所定の設定は、スケジュールによって前記電力状態が通常状態からスリープ状態に移行した場合、所定時刻に、前記電力状態を一時的に通常状態に移行させる設定を含むことを特徴とする請求項１乃至６のいずれか１項に記載のクライアント装置。
【請求項８】
前記所定時刻は、前記指示に基づく処理の実行履歴に基づき決定されることを特徴とする請求項７に記載のクライアント装置。
【請求項９】
前記クライアント装置に対するユーザー操作を受け付けたことにより前記電力状態がスリープ状態から通常状態に移行した場合に、当該受け付けたユーザー操作に対応する処理を開始した後に前記要求に応じて受信できた前記指示に基づく処理を実行することを特徴とする請求項１乃至８のいずれか１項に記載のクライアント装置。
【請求項１０】
前記クライアント装置に対するユーザー操作を受け付けたことにより前記電力状態がスリープ状態から通常状態に移行した場合に、前記要求に応じて受信できた前記指示に基づく処理が当該受け付けたユーザー操作に対応する処理を妨げる処理でない際に、それらの処理が並行して実行されるよう制御されることを特徴とする請求項１乃至８のいずれか１項に記載のクライアント装置。
【請求項１１】
ネットワークを介した通信を行うための通信手段と、クライアント装置の電力状態を通常状態からスリープ状態に、または、スリープ状態から通常状態に移行させるための機能と、を有するクライアント装置における制御方法であって、
前記機能により前記クライアント装置に対するユーザー操作を受け付けたことにより前記電力状態がスリープ状態から通常状態に移行した場合に、前記クライアント装置からの要求なしに管理サーバーからの指示を受信することが可能な第１の通信方式による前記管理サーバーとのセッションを確立するための接続要求を送信し、
前記機能により前記電力状態が通常状態からスリープ状態に移行した後、前記クライアント装置に対するユーザー操作なしに、所定の設定に従い通常状態に移行した場合、前記管理サーバーに対して、前記接続要求を送信することなく、前記クライアント装置に対する指示を受信するための要求を送信し、
前記機能により前記電力状態が通常状態からスリープ状態に移行する条件は複数あり、
前記クライアント装置に対するユーザー操作が一定時間、なかったことを１つの条件として前記電力状態の通常状態からスリープ状態への移行が行われ、
前記所定の設定に従い通常状態に移行した場合には、前記一定時間に関わらず、前記要求に応じて受信できた指示に基づく処理に関するスリープ条件に従い、前記電力状態の通常状態からスリープ状態への移行が行われることを特徴とする制御方法。
【請求項１２】
請求項１乃至１０のいずれか１項に記載の手段としてコンピューターを機能させるためのプログラム。
【手続補正２】
【補正対象書類名】明細書
【補正対象項目名】００１１
【補正方法】変更
【補正の内容】
【００１１】
上記課題を解決するために、本発明は、ネットワークを介した通信を行うための通信手段と、クライアント装置の電力状態を通常状態からスリープ状態に、または、スリープ状態から通常状態に移行させるための機能と、を有するクライアント装置であって、前記機能により前記クライアント装置に対するユーザー操作を受け付けたことにより前記電力状態がスリープ状態から通常状態に移行した場合に、前記通信手段は、前記クライアント装置からの要求なしに管理サーバーからの指示を受信することが可能な第１の通信方式による前記管理サーバーとのセッションを確立するための接続要求を送信し、前記機能により前記電力状態が通常状態からスリープ状態に移行した後、前記クライアント装置に対するユーザー操作なしに、所定の設定に従い通常状態に移行した場合、前記通信手段は、前記管理サーバーに対して、前記接続要求を送信することなく、前記クライアント装置に対する指示を受信するための要求を送信し、前記機能により前記電力状態が通常状態からスリープ状態に移行する条件は複数あり、前記クライアント装置に対するユーザー操作が一定時間、なかったことを１つの条件として前記電力状態が通常状態からスリープ状態に移行し、前記所定の設定に従い通常状態に移行した場合には、前記一定時間に関わらず、前記要求に応じて受信できた指示に基づく処理に関するスリープ条件に従い、前記電力状態が通常状態からスリープ状態に移行することを特徴とする。